(57)【特許請求の範囲】
【請求項１】
記録媒体を収納する記録媒体収納部と、
前記記録媒体収納部に付された加飾部と、を備え、
前記記録媒体収納部は、前記記録媒体が出し入れされる開口部を有し且つ当該記録媒体を収納するインナーケースと、前記インナーケースの前記開口部及び開口部近傍部分を除いた部分を覆うようにインナーケースを収納するアウターケースと、前記アウターケースに回動可能に取り付けられ且つ前記開口部近傍部分に係合可能であって当該開口部近傍部分に係合することにより前記開口部を閉じる蓋体と、によって構成され、
前記記録媒体収納部に、一端部が前記開口部から突出され且つ挿入された記録媒体を係合保持する弾性を有する係合部を他端側に設けた係合解除レバーと、前記係合解除レバーを前記開口部側に付勢する板バネと、を設け、
前記アウターケースは、透明若しくは半透明のプラスチック素材によって形成されていて、
前記加飾部は、前記インナーケースの外面及び前記アウターケースの内面のいずれか一方又は両方に付されている
記録媒体収納ケース。
【請求項２】
請求項１において、
前記加飾部は、前記インナーケースの外面に無機質フィラーを充填したインキによって付されている
記録媒体収納ケース。
【請求項３】
請求項１において、
前記加飾部は、前記インナーケースの外面に貼着されたプリントシールに付されている
記録媒体収納ケース。
【請求項４】
請求項１において、
前記加飾部は、前記アウターケースに光透過率の異なる部分を設けることにより付されている
記録媒体収納ケース。
【請求項５】
請求項１において、
前記アウターケースは、前記加飾部の外側に光屈折部を備えている
記録媒体収納ケース。
【請求項６】
請求項１において、
前記インナーケースは、皿状のインナーケース本体部と、前記インナーケース本体部の一側面に接合されるカバープレートとからなっていて、前記カバープレートに前記加飾部が付されている
記録媒体収納ケース。
【請求項７】
請求項１において、
収納される記録媒体がメモリーカードである
記録媒体収納ケース。
【発明の詳細な説明】
【０００１】
【発明の属する技術分野】
本発明は、記録媒体収納ケース、特にメモリースティック（Ｍｅｍｏｒｙ  Ｓｔｉｃｋ）、スマーメディア（Ｓｍａｒｔ  Ｍｅｄｉａ）、ＳＤ（ＳｅｃｕｒｅＤｉｇｉｔａｌ）カードと称されている半導体を記録媒体としたメモリーカードを収納して携帯するのに好適なケースに関する。
【０００２】
【従来の技術】
メモリーカードを収納する記録媒体収納ケースとして、例えば図１４〜図１７に示すものが知られている。
【０００３】
図１４、図１５に示す記録媒体収納ケース１０１は、ケース本体部１０２と、ケース本体部１０２にヒンジ１０３を介して設けられた蓋部１０４と、を備えている。ケース本体部１０２は、ベースプレート部１０５と、ベースプレート部１０５に重ね合わされた樹脂シート１０６とからなっている。
【０００４】
ベースプレート部１０５と樹脂シート１０６は、溶着部１０７で部分的に溶着されていて、溶着されていない部分、即ち、非溶着部１０８を開口部とする複数のメモリーカード収納部１０９が形成される。そして、メモリーカード収納部１０９にメモリーカード１００を収納した後に蓋部１０４を閉じる構成になっている。
【０００５】
ケース本体部１０２を構成する樹脂シート１０５の表面（蓋部１０４を閉じたときにも外部に露出する部分）には、収納されているメモリーカード１００の種類や容量等を表示した加飾部３０１が設けられている。
【０００６】
図１６、図１７に示す記録媒体収納ケース２０１は、ケース本体部２０２と、ケース本体部２０２にヒンジ２０３を介して設けられた蓋部２０４と、を備えている。ケース本体部２０２、ヒンジ２０３、蓋部２０４は、プラスチックにより一体的に形成されている。
【０００７】
ケース本体部２０２内には、発泡ポリエチレン（ＰＥ）製のトレイ２０５が取り付けられている。そして、トレイ２０５の凹部２０６にメモリーカード１００を収納したのち蓋部２０４を閉じる構成になっている。蓋部２０４は、その表面にメモリーカードの種類や容量を示す文字等を表示した表示部（以下、文字や図形、装飾模様や色彩等を総称して加飾部という）３０１を備えている。加飾部３０１は、ケース本体部１０２、２０２や蓋部１０４、２０４の表面に文字や模様等を印刷する等の方法により形成されている。
【０００８】
【発明が解決しようとする課題】
ところで、前記従来の記録媒体収納ケース１０１、２０１には、次に述べるような問題点があった。
（１）ケース本体部１０２、２０２や蓋部１０４、２０４の表面の外部に露出する部分に加飾部３０１を設けていたために、加飾部３０１が損傷を受け易い。特に、記録媒体収納ケース１０１、２０１がメモリーカード１００等を収納して携帯する小型の記録媒体収納ケースである場合には、携帯時に加飾部３０１が他部材に接触して摩耗や剥離を起こし易い。
（２）ケース本体部１０２、２０２や蓋部１０４、２０４の表面に凹凸が存在する場合には、加飾部３０１を設けるのが困難になる。
【０００９】
本発明は、ケース本体部や蓋部の表面に凹凸が存在する場合でもこれに関係なく加飾部を設けることができ、しかも使用時、特に携帯時においても加飾部の摩耗や剥離を起こすことのない記録媒体収納ケースを提供することを目的になされたものである。
【００１０】
【課題を解決するための手段】
本発明は、記録媒体を収納する記録媒体収納部と、その記録媒体収納部に付された加飾部と、を備え、記録媒体収納部は、記録媒体が出し入れされる開口部を有し且つ記録媒体を収納するインナーケースと、そのインナーケースの開口部及び開口部近傍部分を除いた部分を覆うようにインナーケースを収納するアウターケースと、そのアウターケースに回動可能に取り付けられ且つ開口部近傍部分に係合可能であってその開口部近傍部分に係合することにより開口部を閉じる蓋体と、によって構成され、
記録媒体収納部に、一端部が開口部から突出され且つ挿入された記録媒体を係合保持する弾性を有する係合部を他端側に設けた係合解除レバーと、その係合解除レバーを開口部側に付勢する板バネと、を設け、アウターケースを、透明若しくは半透明のプラスチック素材によって形成すると共に、加飾部を、インナーケースの外面及びアウターケースの内面のいずれか一方又は両方に設けることにより、
加飾部を、インナーケースとアウターケースの間に挟んだ状態にして、アウターケースの外面側から透視する構成にして、加飾部の保護を図ると共に、アウターケースの外面に凹凸が存在する場合でも、これに関係無く加飾部をインナーケースの外面及びアウターケースの内面のいずれか一方又は両方に設けることができるようにした。
【００１１】
図１〜図２は、第１の実施形態を示す。図１は、記録媒体収納ケースの斜視図、図２は、インナーケースの分解斜視図である。
【００１２】
図１に示したように、記録媒体収納ケース１は、記録媒体としてのメモリーカード１００を収納する記録媒体収納部２と、記録媒体収納部２の開口部２３ｂを開閉する蓋部３と、記録媒体収納部２に表示された文字及び図形の一方又は両方からなる加飾部４と、を備えている。ここで、加飾部４とは前述したように、文字や図形、装飾のための模様や色彩等を表示した表示部を総称する。
【００１３】
記録媒体収納部２は、記録媒体１００を収納するインナーケース２１と、インナーケース２１を収納するアウターケース２２と、を備えている。
【００１４】
図２に示したように、インナーケース２１は、インナーケース本体部２３と、インナーケース本体部２３のカバープレート取付面２３ａに取り付けられるカバープレート２４と、を備えている。
【００１５】
前記インナーケース本体部２３は、一枚のメモリーカード１００を収納する矩形の皿状に形成されている。インナーケース本体部２３は、開口部２３ｂから挿入したメモリーカード１００の凹部１００ａに係合する弾性を有するメモリーカード係合部２５を第１の側部２３ｃ側に備えていると共に、前記メモリーカード係合部２５をメモリーカード１００の凹部１００ａから抜き出してメモリーカード係合部２５によるメモリーカード１００の係合を解除する係合解除レバー２６を備えている。
【００１６】
係合解除レバー２６は、インナーケース本体部２３に設けられたガイド部材２７によって、インナーケース本体部２３の第１の側部２３ｃの内面に沿ってスライド可能になっている。
【００１７】
係合解除レバー２６は、板バネ２８の第１の端部２８ａによって矢印Ａ方向に付勢されていて、一端部（以下、被押圧部という）２６ａがインナーケース本体部２３の開口部２３ｂ側から突出している。
【００１８】
板バネ２８は、第２の端部２８ｂ側がインナーケース本体部２３の底部２３ｄ上に突出している。
【００１９】
インナーケース本体部２３は、カバープレート取付面２３ａにカバープレート２４を超音波溶着するための溶着リブ（エネルギーダイレクター）２９…２９を備えている。
【００２０】
インナーケース本体部２３は、第１の側部２３ｃの外面と、第２の側部２３ｅの外面に、インナーケース本体部２３を次に説明するアウターケース２４内に結合し、或はインナーケース本体部２３相互を結合するための結合凹部３１と結合凸部３２を備えている。
【００２１】
結合凹部３１と結合凸部３２は、基部に向かって徐々に幅が狭くなる所謂アリとアリ溝状に形成されていて、結合凹部３１に結合凸部３２を係合すると両者は外れにくくなっている。
【００２２】
インナーケース本体部２３と係合解除レバー２６は、アクリルブチレンスチロール（ＡＢＳ）を射出成形することにより製造されている。インナーケース本体部２３と係合解除レバー２６は、前述アクリルブチレンスチロールに限定されるものではなく、ポリスチレン（ＰＳ，ＧＰ−ＰＳ）、ハイインパクトポリスチレン（ＨＩ−ＰＳ）、アクリルスチロール（ＡＳ）、ポリプロピレン（ＰＰ）、ポリエチレン（ＰＥ）、ポリカーボネート（ＰＣ）といった熱可塑性樹脂を用いてもよい。インナーケース本体部２３と係合解除レバー２６は、同一材質に限定されるものではなく、適宜に選択して使用される。
【００２３】
板バネ２８は、厚さ略０．２ｍｍのステンレス製板材を所定の形状に打ち抜いた後に折り曲げることにより形成されている。
【００２４】
カバープレート２４は、アクリルブチレンスチロール（ＡＢＳ）製の厚さ略０．４ｍｍの薄板を所定の形状に打ち抜くことにより形成されている。
【００２５】
カバープレート２４は、前記溶着リブ２９…２９を使用して、超音波溶着によりインナーケース本体部２３のカバープレート取付面２３ａに取り付けられる。
【００２６】
図３に示したように、溶着リブ２９…２９は、断面三角形状に形成されている。断面三角形状の溶着リブ２９…２９の底辺幅Ｗ１は、カバープレート取付面２３ａの幅Ｗ２の略１／２に形成され、高さＷ３は、カバープレート取付面２３ａの幅Ｗ２の略１／４に形成されている。
【００２７】
溶着リブ２９は、超音波ホーンにより圧力と超音波を加えて溶融して、カバープレート２４の内面の表層部と相溶、固化されて、図４に示したように、インナーケース本体部２３とカバープレート２４を一体的に結合する。超音波を利用した溶着は、接着剤等を使用することなく、短時間に体裁よく溶着することができる。インナーケース本体部２３とカバープレート２４は、同一の材質又は互いに相溶性を有する材質の樹脂材料を使用するのが望ましい。前述のようにして、インナーケース本体部２３に取り付けられたカバープレート２４の表面には、文字や図形等の加飾部４が付されている。
【００２８】
インナーケース２１は、前述のような構成であって、メモリーカード１００にインナーケース本体部２３に挿入すると、図５に示したように、メモリーカード１００の底面１００ｂで板バネ２８の第２の端部２８ｂが押圧され、弾性変形して付勢力が蓄勢されると共に、メモリーカード１００の凹部１００ａにメモリーカード係合部２５に係合してメモリーカード１００をロックする。また、係合解除レバー２６の被押圧部２６ａを押圧すると、係合解除レバー２６は、図２の矢印Ｂ方向にスライドして、係合解除部２６ｂでメモリーカード係合部２５を押圧して、該メモリーカード係合部２５を前記凹部１００ａから抜き出してメモリーカード１００のロックを解除する。
【００２９】
メモリーカード係合部２５によるロックを解除されたメモリーカード１００は、前記板バネ２８の第２の端部２８ｂのバネ力でインナーケース本体部２３の開口部２３ｂから排出される。
【００３０】
次に、アウターケース２４について説明する。アウターケース２４は、透明若しくは半透明のプラスチック素材、例えばアクリルブチレンスチロール（ＡＢＳ）で形成されている。
【００３１】
図６に示したように、アウターケース２４は、前面部（前面側ハーフ）４１、後面部（後面側ハーフ）４２と、で構成されている。
【００３２】
前面部４１と後面部４２は、第１の側部４１ａ，４２ａの内面に、前記インナーケース本体部２３の第１の側部２３ｃの外面に設けた結合凹部３１と係合する結合凸部４４を備えていると共に、第２の側部４１ｂ，４２ｂの内面に、前記インナーケース本体部２３の第２の側面２３ｄの外面に設けた結合凸部３２に係合する結合凹部４５を備えている。
【００３３】
結合凸部４４と結合凹部４５は、前記結合凹部３１、結合凸部３２と同様に所謂アリとアリ溝状に形成されている。また、前面部４１の第１の側部４１ａの外面側及び後面部４２の第１の側面４２ａの外面側には、蓋部３を開閉回動可能に取り付けるための蓋取付部４６が設けられている。蓋取付部４６は、コイルばね４７と、コイルばね４７により付勢された蓋操作部４８を備えている。
【００３４】
蓋操作部４８は、その上面に第１の傾斜面４９ａと第２の傾斜面４９ｂからなる略Ｖ字状のクリック操作面４９を備えている。また、前面部４１と後面部４２は、蓋取付部４６の対向部に軸受孔５０を備えている。
【００３５】
蓋部３は、軸受用のアーム部５１を備えている。蓋部３は、軸受用のアーム部５１を、前面部４１と後面部４２の蓋取付部４６間に挿入し、これら蓋取付部４６の対向部に設けた軸受孔５０と、軸受用のアーム部５１に設けた軸受孔５２の位置を合わせて、これら軸受孔５０、５２に挿入した軸５３によって、回動可能に前面部４１と後面部４２の蓋取付部４６間に取り付けられている。
【００３６】
そして、蓋部３を閉じた状態においては、前記軸受用のアーム部５１の下面側の第１の端部５１ａと第２の端部５１ｂが前記蓋操作部４８の第１の傾斜面４９ａと第２の傾斜面４９ｂで押圧されて、蓋部３は、閉蓋状態に維持される。また、閉蓋状態から蓋部３を前記軸５３を中心にして略９０°回転させると、前記蓋部３は、軸受用のアーム部５１の下面の第１の端部５１ｂを、前記蓋操作部４８の第１の傾斜面４９ａで押圧されて開蓋状態に維持される。
【００３７】
インナーケース本体部２３は、第１の側部２３ｃ，２３ｄの外面に設けた結合凹部３１と結合凸部３２を、アウターケース２４の前面部４１及び後面部４２の第１の側部４１ａの内面及び第２の側部４１ｂの内面にそれぞれ設けた結合凸部４４と結合凹部４５に係合されて、アウターケース２２内に組み付けられた状態になる。
【００３８】
前面部４１と後面部４２の接合面には、前記インナーケース本体部２３のカバープレート取付面２３ａに設けた溶着リブ２９…２９と同様の溶着リブ５４…５４が設けられている。そして、前面部４１と後面部４２の接合面を重ね合わせて、超音波ホーンにより圧力と超音波を加えると、溶着リブ５４…５４は、溶融して前面部４１と後面部４２とが一体的に結合されてアウターケース２４が構成される。前面部４１と後面部４２は、同一の材質の樹脂材料又は互いに相溶性を有する材質の樹脂材料を使用するのが望ましい。
【００３９】
次に、加飾部４について説明する。加飾部４は、カバープレート２４の表面に蓄光性（残光性）を有する素材を充填したインキにより印刷されている。
【００４０】
上記インキは、例えば、アクリル樹脂系透明インキ：２７重量部に対して、蓄光性素材（光を吸収し、光を取り除いた後にも光が残る素材）として無機質系素材である略１３〜１５μｍ径のアルミン酸ストロンチウム酸化物：６５重量部と、表面調整材として略６０μｍ径のアクリル樹脂製の球状フィラー：８重量部を混錬して得られる。そして、前記インキをシルク印刷法にて略２０μｍの厚みで印刷を行うことにより加飾部４が形成されていて、該加飾部４は、暗い所で光るようになっている。
【００４１】
前記加飾部４の残光量や残光時間は、樹脂インキに対する蓄光性素材の充填量や、インキの印刷厚みに依存し、蓄光性素材の充填量を増やせば増やすほど、また、インキの印刷厚みを大きくすれば大きくするほど、残光量や残光時間は増大するが、反面、樹脂インキに対する蓄光性素材の充填量を増やしたり、蓄光性素材を充填したインキの印刷厚みを厚くすると、カバープレート２４に対する密着強度が低下するとう問題が生じる。
【００４２】
そこで、前記インキのカバープレート２４の表面に対する密着性について検査してみた。ここで、前記インキの密着性の検査は、クロスカット法により印刷面にカッターナイフで１ｍｍ間隔の直線状の１１本の傷を付け、更に、この傷に直交するように印刷面にカッターナイフで１ｍｍ間隔の直線状の１１本の傷を付けることにより形成した１ＯＯ個の升目上に粘着テープを貼り、この粘着テープを剥がした後、印刷面に残留した升目の数を比較することにより行った。その結果、５３／１００（５３％）の残留に止どまった。
【００４３】
前記蓄光性素材を充填したインキに対して、通常の着色インキ、例えばアクリル樹脂系透明インキ：９５重量部に、白色顔料として酸化チタン：５重量部を混入して得られた白色インキを、略１２μｍの厚みに印刷したものを、比較例として前記と同様の試験を行った結果、残留した升目の数は１００／１００（１００％）であった。このように、前記蓄光性素材を充填したインキによる加飾部４は、剥離しやすいために、メモリーカードを収納して携帯するのに使用する記録媒体収納ケースの加飾部には不向きであるとされていたが、本発明においては、前記蓄光性素材を充填したインキによる加飾部４は、アウターケース２２によりカバーされることにより、剥離しやすいという問題点は解決され、携帯に使用する記録媒体収納ケースにも十分に使用可能なものになる。
【００４４】
前記加飾部４に用いられるインキは、蓄光性素材としてアルミン酸ストロンチウム酸化物を充填したインキの他に、金属感を得るためにアルミニューム、真鍮、銅等の金属微粉末を充填したインキ、或は光沢感を得るためにガラスフレークやマイカなどの表面に酸化チタン等の金属顔料をコーティングした板状微粉末を充填したインキであってもよい。前記インキによって印刷された加飾部４は、アウターケース２２によりカバーされて、目的とする金属感、光沢感を長期的に維持することができる。
【００４５】
カバープレート２４への加飾部４の印刷は、図７に示したように、カバー原反６１からカバープレート２４を打ち抜く前のカバー原反６１の段階で、カバー原反６１の表面にパット印刷、シルク印刷、ホットスタンプ転写等の手段で加飾部４を形成した後、前記カバー原反６１を所定の形状に打ち抜いてカバープレート２４を形成してもよい。カバー原反６１の表面にアルミニューム蒸着等を施して所謂メタリック調の外観を得てもよい。なお、カバー原反６１からカバープレート２４を打ち抜いてから、カバープレート２４の表面にパット印刷、シルク印刷、ホットスタンプ転写等の手段で加飾部４を形成してもよい。
【００４６】
図８は、第１の変形例を示す。この変形例において、加飾部４は、シール（プリントシート）７１に施されている。そして、前記シール７１は、カバープレート２４の表面に貼り付けられている。この場合にも、前記シール７１の表面の加飾部４は、アウターケース２２によりカバーされて保護される。
【００４７】
図９は、第２の変形例を示す。この変形例において、加飾部４は、アウターケース２２を構成する前面部４１及び後面部４２の一方又は両方の内面に設けられている。前記アウターケース２２の前面部４１及び後面部４２の一方又は両方の内面に設けられた加飾部４は、内側をインナーケース２１によりカバーされ、外側をアウターケース２２でカバーされて保護される。
【００４８】
図１０は、第３の変形例を示す。この変形例において、アウターケース２２は、その外面に凹凸部８１や段差部８２を設けることにより、滑り止め効果や装飾性（意匠性）の向上を図った場合を示す。この場合も、前記アウターケース２２の外面の凹凸部８１や段差部８２の存在に関係なく、インナーケース２１の外面側又はアウターケース２２の内面側に所望の加飾部４を容易に設けることが可能になる。
【００４９】
図１１、図１２は、第４の変形例を示す。この変形例において、図２に示す基本例のインナーケース本体部２３を、前記結合凹部３１と結合凸部３２を利用して３個連結すると共に、これら連結した３個のインナーケース本体部２３…２３に跨がるように３個分の大きさのカバープレート２４を取り付けて、インナーケース２１を構成した場合を示す。当然のことながらアウターケース２２もインナーケース２１に見合う大きさに形成されている。また、蓋部３は、軸５３によって回動開閉可能にアウターケース２２に取り付けられている。そして、前記インナーケース２１を構成する３個のインナーケース本体部２３…２３の開口部２３ａを同時に開閉するようになっている。他の構成は基本例の場合と略同じであるので同一構成部分には同一符号を付して重複する説明は省略する。
【００５０】
図１３は、第５の変形例を示す。この変形例において、アウターケース２２の前面部４１及び後面部４２の一方又は両方の内面に無数の凹凸で凹凸模様９１を形成した場合を示す。前記凹凸模様９１は、アウターケース２２の内面に、四角錐形状の突起或は三角形状突起を設けることにより構成されている。前記凹凸９１は、インナーケース２１でカバーされるので、メモリーカード１００の出し入れに悪影響を及ぼすことはない。
【００５１】
また、アウターケース２２の内面には、部分的にアウターケース２２の厚み変えることにより、レンズ部９２やプリズム部９３等の光屈折部９４が設けられていて、これらレンズ部９２やプリズム部９３のレンズ効果やプリズム効果によって、インナーケース２１に設けた加飾部４を拡大するなどして見ることができるようになっている。
【００５２】
前記凹凸模様９１やレンズ部９２或はプリズム部９３は、インナーケース２１でカバーされるので、メモリーカード１００の出し入れに悪影響を及ぼすことはない。前記凹凸模様９１やレンズ部９２或はプリズム部９３は、アウターケース２２を射出成形するための金型の表面に刻印等の加工を施しておくことにより、アウターケース２２を射出成形するのと同時に形成することができる。
【００５３】
なお、実施例では、記録媒体収納ケース１としてメモリーカード１００を収納するメモリーカード収納ケースを示したが記録媒体収納ケース１に収納される記録媒体は、メモリーカードに限定されるものではなく、スティク状やディスク状の記録媒体であってもよい。
【００５４】
【発明の効果】
（１）請求項１の発明は、文字や図形等からなる加飾部は、インナーケースとアウターケースの間に挟まれた状態になっていて、これらインナーケースとアウターケースによって、被覆保護される。従って、加飾部が剥離しやすい残光性素材を充填したインキにより表示されたものであっても耐久性を持たせることができる。
（２）請求項２の発明は、加飾部を印刷するインキに無機質のフィラー（顔料）を充填したので、無機質のフィラーにより加飾部に光輝感や蓄光性等の機能を持たせることができる。
（３）請求項３の発明は、加飾部をシールに設け、該シールをインナーケースのの外面やアウターケースの内面に貼着する構成にしたので、安価で多様なデザインを記録媒体収納ケースに施すことが可能となり、魅力ある商品の提供が可能となる、
（４）請求項４の発明は、アウターケースの内側に、該ケースの肉厚の差等による光の透過量の差により文字や図形等の加飾部を形成したので、インキによる加飾部と異なる表示効果を持つ魅力ある商品の提供が可能となる。
（５）請求項５の発明は、アウターケースの内側に、プリズムやレンズのような光屈折部を設けたので、レンズ効果によりインナーケースヘ施した加飾部を拡大したり、遠近感を持たせ、或は、プリズムによる入射光の散乱等の効果により表示効果に優れた魅力ある商品の提供が可能となる。
（６）請求項６の発明は、インナーケースを、インナーケース本体部と、該インナーケース本体部の一側部に取り付けるカバープレートとで構成し、該カバープレートに加飾部を設けたので、インナーケース本体部に取り付ける前にカバープレートに加飾部を付すことにより、安価に、かつ多様な加飾部を形成することができる。
（７）請求項７の発明は、収納される記録媒体がメモリーカードであることにより、小型で携帯性に優れた記録媒体収納ケースとなる。
【図面の簡単な説明】
【図１】  記録媒体収納ケースの斜視図
【図２】インナーケースの分解斜視図
【図３】溶着リブの断面図。
【図４】カバープレートを取り付けた状態の斜視図。
【図５】インナーケースへメモリーカードを挿入した状態の斜視図。
【図６】記録媒体収納ケースの分解斜視図。
【図７】カバープレートの製造方法を示す説明図。
【図８】第１の変形例を示す斜視図。
【図９】第２の変形例を示す斜視図。
【図１０】第３の変形例を示す斜視図。
【図１１】第４の変形例を示す斜視図。
【図１２】第４の変形例を示す斜視図。
【図１３】第５の変形例を示す斜視図。
【図１４】従来例の斜視図。
【図１５】従来例の斜視図。
【図１６】従来例の斜視図。
【図１７】従来例の斜視図。
【符号の説明】
１…記録媒体収納ケース、２…記録媒体収納部、３…蓋部、４…加飾部、２１…インナーケース、２２…アウターケース、７１…シール、９４…光屈折部、１００…記録媒体（メモリーカード）。
【図１】
0004670202.tif 000002
【図２】
0004670202.tif 000003
【図３】
0004670202.tif 000004
【図４】
0004670202.tif 000005
【図５】
0004670202.tif 000006
【図６】
0004670202.tif 000007
【図７】
0004670202.tif 000008
【図８】
0004670202.tif 000009
【図９】
0004670202.tif 000010
【図１０】
0004670202.tif 000011
【図１１】
0004670202.tif 000012
【図１２】
0004670202.tif 000013
【図１３】
0004670202.tif 000014
【図１４】
0004670202.tif 000015
【図１５】
0004670202.tif 000016
【図１６】
0004670202.tif 000017
【図１７】
0004670202.tif 000018